(57)【特許請求の範囲】
【請求項１】
駆動源となる二次電池と、
前記二次電池の残量の表示に併せて残量の減る速度を表示する電池残量表示部と、
前記二次電池の電圧を測定するＡ／Ｄコンバータ回路と、
前記Ａ／Ｄコンバータ回路からの測定結果である電池電圧に基づき、前記電池残量表示部の表示動作を制御する制御回路とを備え、
前記二次電池の残量は、前記電池残量表示部を横切る線の、縦方向の位置によって表示され、
前記残量の減る速度は、前記電池残量表示部を横切る線の、傾き量によって表示される
ことを特徴とする電池残量表示装置。
【請求項２】
前記制御回路は、前記電池電圧を受取ると、この受取った電池電圧をＶｎｏｗとするとともに、前記制御回路のメモリに記憶されているＶｏｌｄを読出して前記Ｖｎｏｗとの差を比較し、比較による差が前記メモリに記憶されている電圧しきい値Ｖ１〜Ｖ５のうち並んだ二つ以上を跨いでいる場合、前記電池残量表示部の電池残量の表示を更新することを特徴とする請求項１に記載の電池残量表示装置。
【請求項３】
前記制御回路は、前記比較による差が二つ以上を跨いでいる場合、前記メモリに記憶されているＴｏｌｄを読出して前記電池電圧を測定した絶対時間であるＴｎｏｗとの差を計算し、計算による差が静的な状態での電圧しきい値一つ分が減る時間である値Ｔｓよりも短いと判断すると、前記二次電池の残量が早く減る傾向にあると認識し、前記電池残量表示部の電池残量の表示を更新することを特徴とする請求項２に記載の電池残量表示装置。
【請求項４】
前記制御回路は、前記二次電池の残量が早く減る傾向にあると認識すると、前記電池残量表示部の電池残量の表示を、一段水平に下げ、さらに斜めにもう一段下げるように更新することを特徴とする請求項３に記載の電池残量表示装置。
【請求項５】
二次電池により駆動源が得られる第１の工程と、
電池残量表示部により、前記二次電池の残量の表示に併せて残量の減る速度が表示される第２の工程と、
Ａ／Ｄコンバータ回路により、前記二次電池の電圧が測定される第３の工程と、
制御回路により、前記Ａ／Ｄコンバータ回路からの測定結果である電池電圧に基づき、前記電池残量表示部の表示動作が制御される第４の工程とを備え、
前記二次電池の残量は、前記電池残量表示部を横切る線の、縦方向の位置によって表示され、
前記残量の減る速度は、前記電池残量表示部を横切る線の、傾き量によって表示される
ことを特徴とする電池残量表示方法。
【請求項６】
前記第４の工程には、
前記電池電圧を受取ると、この受取った電池電圧がＶｎｏｗとされるとともに、前記制御回路のメモリに記憶されているＶｏｌｄが読出されて前記Ｖｎｏｗとの差が比較される第５の工程と、
前記比較による差が前記メモリに記憶されている電圧しきい値Ｖ１〜Ｖ５のうち並んだ二つ以上を跨いでいる場合、前記電池残量表示部の電池残量の表示が更新される第６の工程とが含まれる
ことを特徴とする請求項５に記載の電池残量表示方法。
【請求項７】
前記第６の工程には、
前記比較による差が二つ以上を跨いでいる場合、前記メモリに記憶されているＴｏｌｄが読出されて前記電池電圧を測定した絶対時間であるＴｎｏｗとの差が計算される第７の工程と、
計算による差が静的な状態での電圧しきい値一つ分が減る時間である値Ｔｓよりも短いと判断されると、前記二次電池の残量が早く減る傾向にあると認識され、前記電池残量表示部の電池残量の表示が更新される第８の工程とが含まれる
ことを特徴とする請求項６に記載の電池残量表示方法。
【請求項８】
前記第８の工程には、前記二次電池の残量が早く減る傾向にあると認識されると、前記電池残量表示部の電池残量の表示が、一段水平に下げられ、さらに斜めにもう一段下げるように更新されることを特徴とする請求項７に記載の電池残量表示方法。
【発明の詳細な説明】
【０００１】
【発明の属する技術分野】
本発明は、携帯電話機における電池残量を表示する電池残量表示装置に関する。
【０００２】
【従来の技術】
携帯電話機には、充電可能な電池が搭載されている。この電池は、待受け状態では、長い期間、駆動電源が供給される容量となっている。ところが、たとえば電子メール作成時にあっては、ＬＥＤの点灯等により、電池が待受け状態に比べて早く減る傾向にある。
【０００３】
このような電池の残量を表示するようにしたものとして、たとえば特開平９−２５７８８８号公報では、電流を多く消費するために電池電圧が全体的に降下する通話時の電圧しきい値を通話状態の基準値Ｖａｃ・Ｖｂｃ・Ｖｃｃとし、電流の消費が少ないために電池電圧の降下が少ない待受け時の電圧しきい値を通話状態でないときに対応した基準値Ｖａ・Ｖｂ・Ｖｃとし、それぞれの基準値から電池の残量を表示するようにしている。
【０００４】
また、特開平９−２５７８８９号公報では、通話時に電流を多く消費するため、待受け時に比べて電池電圧が全体的にＶＣだけ下がると、通話時は通話状態でないときに対応した基準値Ｖａ・Ｖｂ・ＶｃをＶＣで補正することで電池の残量を表示するようにしている。
【０００５】
また、特開平１０−３２９３３号公報では、充電の時間を計時し、充電終了後に充電直前の電池の残量である表示セル数に、充電に要する時間から増えた電池残量である増加すべきセル数を算出し、直前のセル数に加算することで電池の残量を表示するようにしている。
【０００６】
【発明が解決しようとする課題】
ところが、上述した何れの先行技術においても、電圧のしきい値を状態に応じて使い分けて補正し表示したり、充電に要した時間から電池残量を正確に算出して表示するようにしているが、しきい値を跨ぐ時間が早まっているかどうかが算出できず、あくまでも残量を表示するのみに止まっている。このため、電池の残量については正確に知らせることができるが、電池の残量が早く減る傾向にあるかどうかということを知らせることが不可能となっている。
【０００７】
つまり、電池の残量表示は、たとえば図６に示すように電池電圧を棒グラフで表したものが一般的であり、あくまでも残量を表示するのみに止まっているためである。
【０００８】
またこのように、電池の残量が早く減る傾向にあるかどうかということを知る術がないと、たとえば電子メールの作成の中断を強いられたり、作成ができても電池の残量が無くなることで送信できない場合もある。このような場合は、携帯電話機の電池を一度充電してから電子メールの作成や送信をやり直す必要が生じ、急を要する場合には役に立たないといった不都合を生じてしまう。
【０００９】
本発明は、このような状況に鑑みてなされたものであり、電池残量の表示に併せて電池残量の減る速度を正確に表示することができる電池残量表示装置を提供することができるようにするものである。
【００１０】
【課題を解決するための手段】
請求項１に記載の電池残量表示装置は、駆動源となる二次電池と、前記二次電池の残量の表示に併せて残量の減る速度を表示する電池残量表示部と、前記二次電池の電圧を測定するＡ／Ｄコンバータ回路と、前記Ａ／Ｄコンバータ回路からの測定結果である電池電圧に基づき、前記電池残量表示部の表示動作を制御する制御回路とを備え、前記二次電池の残量は、前記電池残量表示部を横切る線の、縦方向の位置によって表示され、前記残量の減る速度は、前記電池残量表示部を横切る線の、傾き量によって表示されることを特徴とする。
また、制御回路は、電池電圧を受取ると、この受取った電池電圧をＶｎｏｗとするとともに、制御回路のメモリに記憶されているＶｏｌｄを読出してＶｎｏｗとの差を比較し、比較による差がメモリに記憶されている電圧しきい値Ｖ１〜Ｖ５のうち並んだ二つ以上を跨いでいる場合、電池残量表示部の電池残量の表示を更新するようにすることができる。
また、制御回路は、比較による差が二つ以上を跨いでいる場合、メモリに記憶されているＴｏｌｄを読出して電池電圧を測定した絶対時間であるＴｎｏｗとの差を計算し、計算による差が静的な状態での電圧しきい値一つ分が減る時間である値Ｔｓよりも短いと判断すると、二次電池の残量が早く減る傾向にあると認識し、電池残量表示部の電池残量の表示を更新するようにすることができる。
また、制御回路は、二次電池の残量が早く減る傾向にあると認識すると、電池残量表示部の電池残量の表示を、一段水平に下げ、さらに斜めにもう一段下げるように更新するようにすることができる。
請求項５に記載の電池残量表示方法は、二次電池により駆動源が得られる第１の工程と、電池残量表示部により、前記二次電池の残量の表示に併せて残量の減る速度が表示される第２の工程と、Ａ／Ｄコンバータ回路により、前記二次電池の電圧が測定される第３の工程と、制御回路により、前記Ａ／Ｄコンバータ回路からの測定結果である電池電圧に基づき、前記電池残量表示部の表示動作が制御される第４の工程とを備え、前記二次電池の残量は、前記電池残量表示部を横切る線の、縦方向の位置によって表示され、前記残量の減る速度は、前記電池残量表示部を横切る線の、傾き量によって表示されることを特徴とする。
また、第４の工程には、電池電圧を受取ると、この受取った電池電圧がＶｎｏｗとされるとともに、制御回路のメモリに記憶されているＶｏｌｄが読出されてＶｎｏｗとの差が比較される第５の工程と、比較による差がメモリに記憶されている電圧しきい値Ｖ１〜Ｖ５のうち並んだ二つ以上を跨いでいる場合、電池残量表示部の電池残量の表示が更新される第６の工程とが含まれるようにすることができる。
また、第６の工程には、比較による差が二つ以上を跨いでいる場合、メモリに記憶されているＴｏｌｄが読出されて電池電圧を測定した絶対時間であるＴｎｏｗとの差が計算される第７の工程と、計算による差が静的な状態での電圧しきい値一つ分が減る時間である値Ｔｓよりも短いと判断されると、二次電池の残量が早く減る傾向にあると認識され、電池残量表示部の電池残量の表示が更新される第８の工程とが含まれるようにすることができる。
また、第８の工程には、二次電池の残量が早く減る傾向にあると認識されると、電池残量表示部の電池残量の表示が、一段水平に下げられ、さらに斜めにもう一段下げるように更新されるようにすることができる。
本発明に係る電池残量表示装置においては、Ａ／Ｄコンバータ回路により、二次電池の電圧が測定されると、制御回路により、Ａ／Ｄコンバータ回路からの測定結果である電池電圧に基づき、二次電池の残量の表示に併せて残量の減る速度を表示する電池残量表示部の表示動作が制御されるようにする。
【００１１】
【発明の実施の形態】
以下、本発明の実施の形態について説明する。
【００１２】
図１は、本発明の電池残量表示装置の一実施の形態を示す図、図２〜図５は、図１の電池残量表示装置による電池残量表示方法を説明するための図である。
【００１３】
図１に示す電池残量表示装置は、送受信回路１４、アンテナ１５、充電端子（＋）１６、充電端子（―）１７を有する携帯電話機本体１に内蔵されているものであり、二次電池１１、Ａ／Ｄコンバータ回路１２、制御回路１３を備えている。
【００１４】
二次電池１１は、充電が可能なたとえばニッカド電池等よりなるものであり、充電端子（＋）１６及び充電端子（―）１７によって充電が行われる。Ａ／Ｄコンバータ回路１２は、制御回路１３からの測定要求信号１１１をトリガとし、二次電池１１の電圧を測定し、その測定結果である電池電圧１１２を制御回路１３に知らせるものである。
【００１５】
制御回路１３は、アンテナ１５を介し無線網との間でデータの送受信を行う送受信回路１４の制御やＡ／Ｄコンバータ回路１２のＡ／Ｄコンバート動作等を制御するものである。送受信回路１４の制御を行う場合、制御回路１３から送受信回路１４に制御信号１１３が送出される。このとき、送受信回路１４から制御回路１３へは、送受信データ１１４が送出される。
【００１６】
また、制御回路１３は、Ａ／Ｄコンバータ回路１２からの電池電圧１１２に基づき、たとえば図３に示す電池残量表示部１８の表示状態を、たとえば図４に示すように変化させるものであるが、その詳細は後述する。また、制御回路１３には、図示しないメモリが搭載されている。このメモリには、後述するＶｏｌｄ、Ｔｏｌｄ、電圧しきい値Ｖ１〜Ｖ５等が記憶されるようになっている。
【００１７】
次に、このような構成の電池残量表示装置による電池残量表示方法について説明する。
【００１８】
まず、図２に示すように、制御回路１３からＡ／Ｄコンバータ回路１２に対し、測定要求信号１１１によって電池電圧測定要求が出される（ステップＳ１）。
この測定要求信号１１１は、Ａ／Ｄコンバータ回路１２に対し、周期的に出されるものである。
【００１９】
このとき、Ａ／Ｄコンバータ回路１２により、測定要求信号１１１をトリガとし、二次電池１１の電圧が測定されると、その測定結果が電池電圧１１２として制御回路１３に知らされる。制御回路１３が電池電圧１１２を受取ると、その電池電圧１１２がＶｎｏｗに代入されるとともに、制御回路１３のメモリに記憶されているＶｏｌｄとＴｏｌｄとが読出される（ステップＳ２，Ｓ３）。
【００２０】
ここで、ＶｏｌｄとＶｎｏｗとの差が比較される（ステップＳ４）。比較の結果、図５に示すように、電圧しきい値Ｖ１〜Ｖ５のうち並んだ二つ以上を跨いでいる場合は、電池残量の表示が更新される。この場合、Ｔｏｌｄと電池電圧１１２を測定した絶対時間であるＴｎｏｗとの差が計算される（ステップＳ５）。
【００２１】
ＴｏｌｄとＴｎｏｗとの差が待受け時等の静的な状態で電圧しきい値一つ分が減る時間である値Ｔｓよりも短い場合は、二次電池１１の残量が早く減る傾向にあるとして、残量表示が一段水平に下げられ、加えて斜めにもう一段下げられる（ステップＳ６，Ｓ９）。このときの表示状態は、図３から図４に示すように変化する。
【００２２】
また、ＴｏｌｄとＴｎｏｗとの差が待受け時等の静的な状態で電圧しきい値一つ分が減る時間である値Ｔｓよりも長い場合は、二次電池１１の残量が静的に減っているとして、残量表示が一段水平に下げられる（ステップＳ６，Ｓ７）。このときの表示状態は、図３のようになる。
【００２３】
（ステップＳ７）又は（ステップＳ９）で残量表示が更新されると、ＶｎｏｗがＶｏｌｄに、ＴｎｏｗがＴｏｌｄにそれぞれ更新され（ステップＳ８）、（ステップＳ１０）で処理が終了となる。
【００２４】
また、（ステップＳ４）でＶｏｌｄとＶｎｏｗとの差が図５に示す電圧しきい値Ｖ１〜Ｖ５の一つ以下を跨ぐ場合には、残量表示が更新されず、（ステップＳ１０）にて処理が終了となる。
【００２５】
このように、本実施の形態では、Ａ／Ｄコンバータ回路１２により、二次電池１１の電圧が測定されると、制御回路１３により、Ａ／Ｄコンバータ回路１２からの測定結果である電池電圧１１２に基づき、二次電池１１の残量の表示に併せて残量の減る速度を表示する電池残量表示部１８の表示動作が制御されるようにしたので、電池残量の表示に併せて電池残量の減る速度を正確に表示することができる。
【００２６】
このように、電池残量の表示に併せて電池残量の減る速度を正確に表示するようにすることで、ユーザに注意を促すことができることから、たとえば電池の残量が早く減る傾向にある電子メール作成時等においては、手短に作成を済ませて送信することができる。
【００２７】
【発明の効果】
以上の如く本発明に係る電池残量表示装置によれば、Ａ／Ｄコンバータ回路により、二次電池の電圧が測定されると、制御回路により、Ａ／Ｄコンバータ回路からの測定結果である電池電圧に基づき、二次電池の残量の表示に併せて残量の減る速度を表示する電池残量表示部の表示動作が制御されるようにしたので、電池残量の表示に併せて電池残量の減る速度を正確に表示することができる。
【図面の簡単な説明】
【図１】本発明の電池残量表示装置の一実施の形態を示す図である。
【図２】図１の電池残量表示装置による電池残量表示方法を説明するためのフローチャートである。
【図３】図１の電池残量表示装置による電池残量表示方法を説明するための図である。
【図４】図１の電池残量表示装置による電池残量表示方法を説明するための図である。
【図５】図１の電池残量表示装置による電池残量表示方法を説明するための図である。
【図６】従来の電池の残量表示例を説明するための図である。
【符号の説明】
１  携帯電話機本体
１１  二次電池
１２  Ａ／Ｄコンバータ回路
１３  制御回路
１４  送受信回路
１５  アンテナ
１６  充電端子（＋）
１７  充電端子（―）
１８  電池残量表示部
１１１  測定要求信号
１１２  電池電圧
１１３  制御信号
１１４  送受信データ
【図１】
0004576754.tif 000002
【図２】
0004576754.tif 000003
【図３】
0004576754.tif 000004
【図４】
0004576754.tif 000005
【図５】
0004576754.tif 000006
【図６】
0004576754.tif 000007